(57)【要約】【課題】ユーザが容易に自身の歯肉炎の状態を短い周期で検査でき、歯肉炎の予防及び完治に対するブラッシングの必要性を認識できる歯肉炎検査システムを提供する。【解決手段】本発明は、口腔内を撮像した撮像画像から歯肉と歯との境界近傍における歯肉の領域の画像である歯周画像データを抽出する歯周画像データ抽出部と、歯周画像データの各ピクセルの色データと比較する歯肉炎の状態を示す歯肉の色データである参照色データが予め書き込まれて記憶されている参照色データテーブルと、歯周画像データのピクセル毎の色データを、参照色データテーブルの参照色データと比較することにより、ピクセルにおける歯肉炎の状態を判定するから色データ比較部とを備える。【選択図】図１
2019030587.tif 000002
【特許請求の範囲】
【請求項１】
口腔内を撮像した撮像画像から歯肉と歯との境界近傍における歯肉の領域の画像である歯周画像データを抽出する歯周画像データ抽出部と、
前記歯周画像データの各ピクセルの色データと比較する歯肉炎の状態を示す歯肉の色データである参照色データが予め書き込まれて記憶されている参照色データテーブルと、
前記歯周画像データのピクセル毎の色データを、前記参照色データテーブルの参照色データと比較することにより、前記ピクセルにおける歯肉炎の状態を判定するから色データ比較部と
を備えることを特徴とする歯肉炎検査システム。
【請求項２】
前記参照色データテーブルが参照色データと歯肉炎の状態を示す歯肉炎係数とが対応して書き込まれて記憶されており、
色データ比較部が抽出した前記ピクセル毎の歯肉炎係数を前記参照色データテーブルから抽出し、
前記歯肉炎係数に応じて歯肉炎の状態を示す表示色をピクセル毎に選択する表示色選択部と、
前記撮像画像における前記歯周画像データの前記ピクセルの各々を、選択された前記表示色の色データにより出力する表示色出力部と
をさらに備えることを特徴とする請求項１に記載の歯肉炎検査システム。
【請求項３】
前記表示色が歯肉炎である可能性が低い状態から高い状態までの複数段階の状態毎に色分けされていることを特徴とする請求項２に記載の歯肉炎検査システム。
【請求項４】
複数のピクセルを囲む大きさの選択枠を、歯周画像データ上においてピクセル単位でずらす毎に、囲まれた複数のピクセルの色データを抽出するピクセル選択部をさらに有し、
前記色データ比較部が、前記ピクセル選択部の選択した複数のピクセルの各々に色データに対応する歯肉炎係数を前記参照色データテーブルから読み出し、
前記表示色選択部が、前記選択枠内のピクセルの各々の歯肉炎係数に基づいて選択枠の中央のピクセルの表示色を求める
ことを特徴とする請求項２または請求項３に記載の歯肉炎検査システム。
【請求項５】
前記表示色選択部が、前記選択枠内の各ピクセルの前記歯肉炎係数の積算値あるいは平均値を、前記選択枠の中央のピクセルの歯肉炎係数とし、当該歯肉炎係数に対応する前記表示色を、前記選択枠の中央のピクセルの表示色とする
ことを特徴とする請求項４に記載の歯肉炎検査システム。
【請求項６】
前記歯周画像データのピクセルの色データが表示色に変換された結果画像と、歯肉炎の検査を行った日時である検査日時とが対応付けられた検査結果テーブルと、
前記日時における歯肉炎の検査毎に、検査を行った前記検査日時と、検査結果の前記結果画像とを前記検査結果テーブルに書き込んで記憶させる検査結果出力部と
をさらに備えることを特徴とする請求項１から請求項５のいずれか一項に記載の歯肉炎検査システム。
【請求項７】
色校正用カラーパッチを口腔内とともに撮像画像として撮像し、前記撮像画像における前記色校正用カラーパッチの色データにより、歯周画像データの色データを補正する色空間変換部をさらに有する
ことを特徴とする請求項１から請求項６のいずれか一項に記載の歯肉炎検査システム。
【請求項８】
前記撮像画像を撮像させる際、当該撮像画像を撮像する端末の表示画面に対し、口腔内の画像の位置を特定して撮像させる撮影枠を表示する撮影枠表示部
をさらに備える
ことを特徴とする請求項１から請求項７のいずれか一項に記載の歯肉炎検査システム。
【請求項９】
前記撮像画像を撮像した端末が、前記撮像画像を前記歯周画像データ抽出部に対して送信し、
前記表示色出力部が、歯肉炎の検査結果である前記歯周画像データの画素が前記表示色の色データにより描画された前記撮像画像を前記端末に送信する
ことを特徴とする請求項２から請求項８のいずれか一項に記載の歯肉炎検査システム。
【請求項１０】
歯周画像データ抽出部が、口腔内を撮像した撮像画像から歯肉と歯との境界近傍における歯肉の領域の画像である歯周画像データを抽出する歯周画像データ抽出過程と、
色データ比較部が、前記歯周画像データのピクセル毎の色データを、前記歯周画像データの各ピクセルの色データと比較する歯肉炎の状態を示す歯肉の色データである参照色データが予め書き込まれて記憶されている参照色データテーブルの参照色データと比較することにより、前記ピクセルにおける歯肉炎の状態を判定するから色データ比較部と
を備えることを特徴とする歯肉炎検査方法。
【請求項１１】
コンピュータを、
口腔内を撮像した撮像画像から歯肉と歯との境界近傍における歯肉の領域の画像である歯周画像データを抽出する歯周画像データ抽出手段、
前記歯周画像データのピクセル毎の色データを、前記歯周画像データの各ピクセルの色データと比較する歯肉炎の状態を示す歯肉の色データである参照色データが予め書き込まれて記憶されている参照色データテーブルの参照色データと比較することにより、前記ピクセルにおける歯肉炎の状態を判定するから色データ比較手段
として機能させるためのプログラム。
【発明の詳細な説明】
【技術分野】
【０００１】
本発明は、歯肉炎の可能性を検査する歯肉炎検査システム、歯肉炎検査方法及びそのプログラムに関する。
【背景技術】
【０００２】
近年、歯科医による歯科検診において、中学生及び高校生に歯肉炎（歯周組織において炎症が歯肉のみに存在する状態）を発症する生徒が多く見受けられる。歯肉炎の症状が進行すると、炎症が歯肉から歯槽骨や歯根膜までに広がった状態の歯周炎となり、歯科医の治療が必要となる。
本来、各人が歯肉（歯茎）のブラッシングを十分に行うことにより、歯周炎を予防あるいは完治させることが可能である。
このため、中学校及び高校において歯肉炎に対してのブラッシングの重要性を啓蒙する活動が行われているが、実際にブラッシングの必要性が実感として伝わり難いため、効果が上がらないのが実情である。
【０００３】
例えば、ブラッシングを行っている際、短い周期（一週間）毎にブラッシングの歯肉炎に対する予防の効果が見られないと、ユーザ自身の行っているブラッシングの必要性を認識できない。
このため、短い周期で歯肉炎に対する効果を得るため、歯肉炎の検査を行う必要があるが、歯科医の診察を受けるか歯周疾患の検査を行う装置を用いて歯肉炎の症状を確認しなければならない。
【０００４】
しかしながら、虫歯などでない限り、歯肉炎の症状を見るためだけに、短い周期で歯科医に通うことは、面倒であるとともに、多くの学生が一斉に歯科医に通うことなり、歯科医の治療のキャパシティから言っても現実的ではない。
また、歯周疾患を検査する歯周疾患検査装置（例えば、特許文献１参照）はあるものの、歯周炎となれば歯科医による治療が必要となって装置は無用であり、個人が歯肉炎のブラッシングの効果を得るためだけに、上記歯周疾患検査装置を購入することは現実的ではない。
【先行技術文献】
【特許文献】
【０００５】
【特許文献１】特開２００９−１８３３２３号公報
【発明の概要】
【発明が解決しようとする課題】
【０００６】
本発明は、上述した点を鑑みてなされたもので、ユーザが自身の歯肉炎の状態を短い周期において容易に検査することができ、歯肉炎の予防及び完治に対するブラッシングの必要性を認識することができる歯肉炎検査システム、歯肉炎検査方法及びそのプログラムを提供することを目的とする。
【課題を解決するための手段】
【０００７】
この発明は上述した課題を解決するためになされたもので、本発明の歯肉炎検査システムは、口腔内を撮像した撮像画像から歯肉と歯との境界近傍における歯肉の領域の画像である歯周画像データを抽出する歯周画像データ抽出部と、前記歯周画像データの各ピクセルの色データと比較する歯肉炎の状態を示す歯肉の色データである参照色データが予め書き込まれて記憶されている参照色データテーブルと、前記歯周画像データのピクセル毎の色データを、前記参照色データテーブルの参照色データと比較することにより、前記ピクセルにおける歯肉炎の状態を判定するから色データ比較部とを備えることを特徴とする。
【０００８】
本発明の歯肉炎検査システムは、前記参照色データテーブルが参照色データと歯肉炎の状態を示す歯肉炎係数とが対応して書き込まれて記憶されており、色データ比較部が抽出した前記ピクセル毎の歯肉炎係数を前記参照色データテーブルから抽出し、前記歯肉炎係数に応じて歯肉炎の状態を示す表示色をピクセル毎に選択する表示色選択部と、前記撮像画像における前記歯周画像データの前記ピクセルの各々を、選択された前記表示色の色データにより出力する表示色出力部とをさらに備えることを特徴とする。
【０００９】
本発明の歯肉炎検査システムは、前記表示色が歯肉炎である可能性が低い状態から高い状態までの複数段階の状態毎に色分けされていることを特徴とする。
【００１０】
本発明の歯肉炎検査システムは、複数のピクセルを囲む大きさの選択枠を、歯周画像データ上においてピクセル単位でずらす毎に、囲まれた複数のピクセルの色データを抽出するピクセル選択部をさらに有し、前記色データ比較部が、前記ピクセル選択部の選択した複数のピクセルの各々に色データに対応する歯肉炎係数を前記参照色データテーブルから読み出し、前記表示色選択部が、前記選択枠内のピクセルの各々の歯肉炎係数に基づいて選択枠の中央のピクセルの表示色を求めることを特徴とする。
【００１１】
本発明の歯肉炎検査システムは、前記表示色選択部が、前記選択枠内の各ピクセルの前記歯肉炎係数の積算値あるいは平均値を、前記選択枠の中央のピクセルの歯肉炎係数とし、当該歯肉炎係数に対応する前記表示色を、前記選択枠の中央のピクセルの表示色とすることを特徴とする。
【００１２】
本発明の歯肉炎検査システムは、前記歯周画像データのピクセルの色データが表示色に変換された結果画像と、歯肉炎の検査を行った日時である検査日時とが対応付けられた検査結果テーブルと、前記日時における歯肉炎の検査毎に、検査を行った前記検査日時と、検査結果の前記結果画像とを前記検査結果テーブルに書き込んで記憶させる検査結果出力部とをさらに備えることを特徴とする。
【００１３】
本発明の歯肉炎検査システムは、色校正用カラーパッチを口腔内とともに撮像画像として撮像し、前記撮像画像における前記色校正用カラーパッチの色データにより、歯周画像データの色データを補正する色空間変換部をさらに有することを特徴とする。
【００１４】
本発明の歯肉炎検査システムは、前記撮像画像を撮像させる際、当該撮像画像を撮像する端末の表示画面に対し、口腔内の画像の位置を特定して撮像させる撮影枠を表示する撮影枠表示部をさらに備えることを特徴とする。
【００１５】
本発明の歯肉炎検査システムは、前記撮像画像を撮像した端末が、前記撮像画像を前記歯周画像データ抽出部に対して送信し、前記表示色出力部が、歯肉炎の検査結果である前記歯周画像データの画素が前記表示色の色データにより描画された前記撮像画像を前記端末に送信することを特徴とする。
【００１６】
本発明の歯肉炎検査方法は、歯周画像データ抽出部が、口腔内を撮像した撮像画像から歯肉と歯との境界近傍における歯肉の領域の画像である歯周画像データを抽出する歯周画像データ抽出過程と、色データ比較部が、前記歯周画像データのピクセル毎の色データを、前記歯周画像データの各ピクセルの色データと比較する歯肉炎の状態を示す歯肉の色データである参照色データが予め書き込まれて記憶されている参照色データテーブルの参照色データと比較することにより、前記ピクセルにおける歯肉炎の状態を判定するから色データ比較部とを備えることを特徴とする。
【００１７】
本発明のプログラムは、コンピュータを、口腔内を撮像した撮像画像から歯肉と歯との境界近傍における歯肉の領域の画像である歯周画像データを抽出する歯周画像データ抽出手段、前記歯周画像データのピクセル毎の色データを、前記歯周画像データの各ピクセルの色データと比較する歯肉炎の状態を示す歯肉の色データである参照色データが予め書き込まれて記憶されている参照色データテーブルの参照色データと比較することにより、前記ピクセルにおける歯肉炎の状態を判定するから色データ比較手段として機能させるためのプログラムである。
【発明の効果】
【００１８】
この発明によれば、ユーザが自身の歯肉炎の状態を短い周期において容易に検査することができ、歯肉炎の進行の予防あるいは完治に対してブラッシングの効果を時系列に確認することが可能となり、歯肉炎の予防及び完治に対するブラッシングの必要性を認識することができる歯肉炎検査システム、歯肉炎検査方法及びそのプログラムを提供することができる。
【図面の簡単な説明】
【００１９】
【図１】本発明の一実施形態による歯肉炎検査システムの構成例を示す概略ブロック図である。
【図２】歯周画像データの各ピクセルの対象色データを抽出する処理の一例を説明する図である。
【図３】参照色データの一例として、本実施形態において色相７．５Ｒにおいて参照色データとして抽出された色データを示す図である。
【図４】参照色テーブルデータベース１１０に予め書き込まれて記憶されている参照色データテーブルの構成例を示す図である。
【図５】表示色テーブルデータベース１１１に予め書き込まれて記憶されている表示色テーブルの構成例を示す図である。
【図６】検査結果テーブルデータベース１１２に書き込まれている検査結果テーブルの構成例を示す図である。
【図７】本実施形態による歯肉炎検査システム１の配合インキテーブルの作成における動作例を示すフローチャートである。
【図８】歯肉炎検査の検査結果を示す端末の表示部に表示される表示画面を説明する図である。
【図９】歯周画像データ抽出部１０３が歯周画像データを抽出する処理の動作例を示すフローチャートである。
【図１０】歯周画像データの抽出処理を説明する撮影枠内の撮像画像である部分撮像画像の一例を示している。
【図１１】本実施形態における歯肉炎検査システムのシステム構成の例を示す図である。する処理を説明する図である。
【発明を実施するための形態】
【００２０】
以下、図面を参照して、本発明の実施の形態による歯肉炎検査システムについて説明する。図１は、本発明の一実施形態による歯肉炎検査システムの構成例を示す概略ブロック図である。図１における歯肉炎検査システムは、例えば、ユーザが自身の端末から歯肉炎を検査するアプリケーションの配布を行う歯肉炎検査サーバにアクセスし、この歯肉炎検査サーバから歯肉炎検査システムのアプリケーションをダウンロードする（後述する図１１）。そして、ダウンロードしたアプリケーションのソフトウェアをユーザの端末において実行した際、端末のメモリに展開される歯肉炎検査システムの構成例を示している。本実施形態において、端末は、タッチパッドコンピュータ、スマートフォン、ノートパソコンなどの携帯端末や、パーソナルコンピュータ、サーバの固定端末などである。
【００２１】
本実施形態による歯肉炎検査システム１は、撮像画像入力部１０１、色空間変換部１０２、歯周画像データ抽出部１０３、ピクセル選択部１０４、色データ比較部１０５、表示色選択部１０６、表示色出力部１０７、検査結果出力部１０８、撮影枠表示部１０９、参照色テーブルデータベース１１０、表示色テーブルデータベース１１１及び検査結果テーブルデータベース１１２の各々を備えている。端末においてアプリケーションが起動されると、歯肉炎検査システム１のデータの処理単位である上記各部は、アプリケーションの実行手段として端末の記憶部のメモリ上に展開される。
撮像画像入力部１０１は、上記端末に付加されている撮像装置から、口腔内の画像データである撮像画像を歯肉炎検査システム１に入力するインターフェースである。
【００２２】
色空間変換部１０２は、歯周画像データからピクセル選択部１０４が選択した各ピクセルの色データを、例えばＲＧＢ（Red、Green、Blue）の色空間の形式から、Ｌａｂの色空間（明度を意味する次元Ｌと補色次元のａおよびｂの色空間）の形式に変換する。
歯周画像データ抽出部１０３は、口腔内を撮像した撮像画像から、歯肉炎の検査を行う検査対象の部位として、歯肉と歯との境界近傍における歯肉の領域の画像データである歯周画像データを抽出する（この歯周画像データを抽出する処理の詳細については後述する）。
【００２３】
ピクセル選択部１０４は、複数のピクセルを囲む大きさの選択枠により、上記歯周画像データのピクセル上において上記選択枠をピクセル単位（１ピクセル単位）で移動させる。そして、ピクセル選択部１０４は、上記選択枠で囲まれた複数のピクセルを選択し、選択された複数のピクセルの各々の色データを歯周画像データから抽出する。
【００２４】
図２は、歯周画像データの各ピクセルを選択枠により選択する処理の一例を説明する図である。本実施形態において、ピクセル選択部１０４は、複数のピクセル、例えば本実施形態においては９個のピクセルを、３×３のマトリクスとして選択枠ＳＷにより選択する。また、ＣＰは、選択枠ＳＷの複数のピクセルにおいて、この選択枠ＳＷの中央に位置するピクセルを示している。
【００２５】
図１に戻り、ピクセル選択部１０４は、ピクセルＣＰの表示色を求めるために用いる選択枠ＳＷ内の９個全てのピクセルの対象色データを抽出する。すなわち、ピクセル選択部１０４は、歯周画像データの各ピクセルの表示色を求めるため、歯周画像データ内のピクセルの各々が選択枠ＳＷの中央となるように、ｘ方向及びｙ方向の各々に対してピクセル単位で選択枠ＳＷを移動させる。そして、ピクセル選択部１０４は、選択枠ＳＷを移動させる毎に、順次、ピクセルＣＰの表示色を求めるために用いる選択枠ＳＷ内の全てのピクセルの対象色データを抽出する。
【００２６】
色データ比較部１０５は、参照色テーブルデータベース１１０に記憶されている参照色データテーブルに記憶されている参照色データから、Ｌａｂの色空間の形式に変換した各ピクセルの色データである対象色データと一致する（あるいは最も近い）参照色データを検索する。
【００２７】
参照色テーブルデータベース１１０は、上述した参照色データテーブルが予め書き込まれて記憶されている。参照色データテーブルは、「ＪＩＳ標準色票」あるいは「マンセル色票（マンセル表色系の色票集）」における色データを参照色データとして用いている。ここで、発明者は、複数の人間の歯肉を撮像装置により撮像し、撮像した撮像画像において歯肉の領域の各ピクセルの色相の分布を解析し、人間の歯肉（歯肉炎の人間の歯肉を含む）の色相が「マンセル色票」における２．５Ｒ、５Ｒ、７．５Ｒ、１０Ｒ、１０ＲＰに含まれる色データのいずれかに分布していることを見いだした。
【００２８】
また、この色相２．５Ｒ、５Ｒ、７．５Ｒ、１０Ｒ、１０ＲＰの各々における参照色データから、歯肉炎である可能性の高い歯肉の色データと一致する（あるいは最も近い）色データを抽出し、抽出した色データを上記参照色データテーブルの参照色データとして用いている。すなわち、複数の歯肉炎である人間の口腔内の撮像画像において、実際に歯肉炎であると歯科医や歯科衛生士が判断した部分の歯肉のピクセルの色データを抽出し、この抽出した色データと近い色データを、色相２．５Ｒ、５Ｒ、７．５Ｒ、１０Ｒ、１０ＲＰの各々における色データから抽出して、抽出された色データを参照色データとした。
【００２９】
図３は、参照色データの一例として、本実施形態において色相７．５Ｒにおいて参照色データとして抽出された色データを示す図である。すでに説明した複数の人間における歯肉の色データをマンセル色票の各色相の色データにマッピングした結果、色相７．５Ｒにおける色データにおいては、（彩度，明度）＝（６，４）、（６，５）、（６，６）、（８，４）、（８，５）、（８，６）、（１０，５）が歯肉の色に近い色データ、すなわち参照色データとして抽出された。この抽出された参照色データにおいて、（彩度，明度）＝（６，４）、（６，５）、（６，６）、（８，４）は歯肉炎となっていない健康な歯肉である可能性が高い参照色データである。
【００３０】
一方、（彩度，明度）＝（８，５）、（８，６）、（１０，５）は歯肉炎である可能性の高い歯肉の参照色データであり、特に、（彩度，明度）＝（８，５）は重度の歯肉炎である可能性の高い歯肉の参照色データである。この重度か否かについても、歯科医と歯科衛生士が歯肉炎である歯肉の色から歯肉炎の状態を参照色データ毎に決定している。そして、この歯肉炎の状態は、本実施形態において歯肉炎係数として参照色データ毎に歯科医や歯科衛生士により設定されている。ここで、歯科医や歯科衛生士により、歯肉炎の治療において歯肉の色を観察し、観察した歯肉（正常、歯肉炎、重度の歯肉炎）の色と、マンセル色票との各色データとを比較し、歯肉炎係数をそれぞれの参照色データに対して設定している。
【００３１】
図４は、参照色テーブルデータベース１１０に予め書き込まれて記憶されている参照色データテーブルの構成例を示す図である。
参照色データテーブルは、識別情報、参照色データ及び歯肉炎係数の各々が対応付けられている。識別情報は、参照色データを識別するための情報であり、例えば順番を示す番号などである。参照色データは、上述したマンセル色票から抽出した歯肉の色データとしての色相、彩度及び明度のデータが記憶されている。例えば、（色相，彩度，明度）＝（７．５Ｒ，１０，５）と記載されている。歯肉炎係数は、歯肉炎である可能性が高いか低いかを示す指標となる数値である。例えば、本実施形態において、歯肉炎係数は、歯肉炎の可能性が高いほど高い数値に設定され、歯肉炎の可能性が低く正常に近くなるほど低い数値に設定される。
【００３２】
図１に戻り、色データ比較部１０５は、上述したように、ピクセル選択部１０４が選択枠にて選択した９個のピクセル各々の対象色データと一致するあるいは最も近い参照色データそれぞれを、参照色データテーブルから検索する。このとき、色データ比較部１０５は、ピクセルの各々の対象色データと一致あるいは最も近い参照色データが検索されると、それぞれの参照色データ対応付けられている歯肉炎係数を参照色データテーブルから読み出し、表示色選択部１０６に対して出力する。
【００３３】
表示色選択部１０６は、色データ比較部１０５から選択枠にて選択されたピクセルの各々の歯肉炎係数を加算して合計値を算出し、この合計値を選択枠の中心にあるピクセルの歯肉炎係数積算値とする。すなわち、表示色選択部１０６は、選択枠にて選択された複数のピクセルの対象色データから、選択枠の中央のピクセルの歯肉炎である可能性を示す指標としての歯肉炎係数積算値を求める。また、表示色選択部１０６は、算出した歯肉炎係数積算値から、歯周画像データにおける上記選択枠の中心にあるピクセルを端末の表示部に表示させる際の色データである歯肉炎の状態（歯肉炎の可能性の程度を示す状態）を示す表示色を、表示色テーブルデータベース１１１に記憶されている表示色テーブルから読み出す。
【００３４】
図５は、表示色テーブルデータベース１１１に予め書き込まれて記憶されている表示色テーブルの構成例を示す図である。
表示色テーブルは、歯肉炎係数積算範囲と表示色とが対応付けられている。歯肉炎係数積算範囲は、歯肉炎の状態に対応して、正常から重度（歯周炎になる可能性の高い）の歯肉炎までの歯肉炎係数積算値を複数の段階に分割した、歯肉炎係数積算値の範囲である。例えば、参照色データテーブルにおいて、参照色データに対応する歯肉炎係数が、歯肉炎の可能性が最も低い０から、重度の歯肉炎の可能性が最も高い１００で設定されている場合、選択枠が９個のピクセルを選択するため、歯肉炎係数積算値は最低値が０であり、最高値が９００となる。
【００３５】
これにより、最も重度の歯肉炎の可能性を示す歯肉炎係数積算値が９００であり、正常の歯肉である可能性を示す歯肉炎係数積算値が０である場合、表示色テーブルにおける歯肉炎係数積算範囲は、正常を示す０から最も重度の歯肉炎を９００まで、例えば１００段階に分割され、それぞれ順次段階毎に表示色の色データが変化するグラデーションとして設定されている。例えば安全を示す緑から、歯肉炎の可能性を示して注意を喚起する黄色となり、最終的に重度の歯肉炎の可能性を示して危険を喚起する赤までに順次変化させて設定されている。
【００３６】
図１に戻り、表示色選択部１０６は、求めた歯肉炎係数積算値が含まれる歯肉炎係数積算範囲を表示色テーブルデータベース１１１の表示色テーブルから検索する。そして、表示色選択部１０６は、検索された歯肉炎係数積算範囲に対応する表示色を読み出し、この読み出した表示色を選択枠にて選択された複数のピクセルにおいて中央のピクセルの表示色とする。
【００３７】
上述したように、色データ比較部１０５及び表示色選択部１０６の各々は、ピクセル選択部１０４が選択枠を図２に示す様に、歯周画像データの配列するピクセル上においてｘ方向及びｙ方向の各々にずらす毎に、順次、選択枠の中央のピクセルの表示色を求める。そして、色データ比較部１０５及び表示色選択部１０６の各々は、上述した処理により、歯周画像データの配列するピクセルの全ての表示色を求める。すなわち、本実施形態においては、選択枠で選択される複数のピクセルの対象色データから、選択枠の中央のピクセルの表示色を選択することにより、歯周画像データの各ピクセルにおけるノイズなどの影響を低減させることができ、高い精度によって歯肉炎の状態の判定を行うことができる。
【００３８】
また、本実施形態においては、表示色選択部１０６が選択枠で選択されたピクセルの各々の歯肉炎係数を積算して歯肉炎係数積算値を求めて、この歯肉係数炎積算値により選択枠の中央のピクセルの表示色を求めている。しかしながら、選択枠で選択されたピクセルの各々の歯肉炎係数の平均値である歯肉炎係数平均値を表示色選択部１０６が求める構成としても良い。
【００３９】
この場合、表示色テーブルにおける歯肉炎係数積算範囲を歯肉炎係数平均範囲とし、歯肉炎係数平均範囲は、最低値が０であり、最高値が１００となる。これにより、最も重度の歯肉炎の可能性を示す歯肉炎係数平均値が１００であり、正常の歯肉である可能性を示す歯肉炎係数平均値が０である場合、歯肉炎係数平均範囲は、正常を示す０から最も重度の歯肉炎を１００まで、例えば１００段階に分割され、それぞれ順次色が変化するグラデーションとして予め設定されている。
【００４０】
表示色出力部１０７は、口腔内の画像データである撮像画像における歯周画像データの領域の各ピクセルを上述のように求めた表示色に変換する。
また、表示色出力部１０７は、歯周画像データの全ての歯肉炎係数積算値の合計値を求め、この合計値を歯周画像データの全てのピクセル数で除算し、平均歯肉炎係数積算値を求める。そして、表示色出力部１０７は、表示色テーブルデータベース１１１の表示色テーブルを参照し、平均歯肉炎係数積算値の含まれる歯肉炎係数積算範囲を検索する。
【００４１】
次に、表示色出力部１０７は、検索された歯肉炎係数積算範囲に対応する表示色を抽出し、この抽出した表示色を歯周画像データ全体の歯肉炎の状態を示す指標（口腔内歯肉炎状態情報）とする。これにより、利用者は、口腔内における歯肉炎が全体的に進行している状態にあるのか、あるいは改善している状態にあるのかをビジュアル的に確認することができ、ブラッシングを行うことによる歯肉炎の状態を逐次チェックすることができる。
【００４２】
図６は、検査結果テーブルデータベース１１２に書き込まれている検査結果テーブルの構成例を示す図である。検査結果テーブルは、日時、原画像インデックス、結果画像インデックス、口腔内歯肉炎状態情報が対応付けられている。日時は、口腔内の撮像画像を撮像した日及び時間を示している。原画像インデックスは、対応する日時に撮像された撮像画像の記憶されている領域を示すアドレスなどを示している。結果画像インデックスは、対応する日時に撮像された撮像画像における、各ピクセルの色データが上記表示色に変換された歯周画像データの記憶されている領域を示すアドレスなどを示している。口腔内歯肉炎状態情報は、表示色テーブルにおいて平均歯肉炎係数積算値の含まれる歯肉炎係数積算範囲に対応した表示色である。
【００４３】
図１に戻り、撮像画像入力部１０１は、アプリケーションが起動された後、撮像された口腔内の撮像画像を端末のメモリに書き込み、また、撮像画像を書き込んだメモリのアドレスを検査結果テーブルデータベース１１２の検査結果テーブルの原画像インデックスに書き込む。このとき、撮像画像入力部１０１は、検査結果テーブルデータベース１１２の検査結果テーブルに撮像画像を撮像した日時を、撮像画像の対応させて書き込む。
また、表示色出力部１０７は、各ピクセルを表示色に変換した歯周画像データを端末のメモリに書き込み、また、歯周画像データを書き込んだメモリのアドレスを、検査結果テーブルデータベース１１２の検査結果テーブルの結果画像インデックスに書き込む。
【００４４】
検査結果出力部１０８は、検査結果テーブルデータベース１１２の検査結果テーブルから、原画像インデックス、結果画像インデックス、口腔内歯肉炎状態情報を読み出す。そして、検査結果出力部１０８は、原画像インデックスにより端末のメモリから撮像画像を読み出し、読み出した撮像画像を端末の表示部に表示する。また、検査結果出力部１０８は、結果画像インデックスにより端末のメモリから歯周画像データを読み出し、読み出した歯周画像データを、端末の表示部に表示されている撮像画像の歯周画像データの領域に上書きする。
【００４５】
撮影枠表示部１０９は、アプリケーションが起動されて口腔内を撮像する際、端末の表示部の表示画面に対して、口腔内を撮像する位置を示す撮影枠を表示する。利用者は、端末に表示部に表示されている撮影枠の中に自身の口腔内が入るように撮像画像を撮像する。これにより、上述した歯肉炎の判定を行う画像処理としては、撮像画像の撮影枠内のみを行えば良いため、端末の負荷を低減させて、歯肉炎の判定の処理を高速化することができる。
【００４６】
次に、図７は、本実施形態による歯肉炎検査システム１の配合インキテーブルの作成における動作例を示すフローチャートである。以下、この図７を用いて、本実施形態による本実施形態による歯肉炎検査システム１の歯肉炎の検査の処理を説明する。以下の処理は、端末によりアプリケーションが起動され、端末のメモリ上において歯肉炎検査システム１の各処理部が実行手段として展開されていることを前提として説明する。また、撮像画像の色データの色空間がＲＧＢの色空間の形式として説明する。
【００４７】
ステップＳ１０１：
利用者は、端末に付属した撮像装置により、自身の口腔内の画像を撮像する。このとき、端末の表示部の表示画面には、上記撮像装置の撮像方向の撮影対象が表示されている。また、撮影枠表示部１０９は、上記端末の表示部の表示画面に対して、利用者の口腔内の画像を撮像する撮像範囲を示す撮影枠を表示する。これにより、利用者は、撮影枠内に口腔内の画像が含まれるように、撮像画像を撮像する。
そして、撮像画像入力部１０１は、上記撮像装置から撮像画像を入力し、検査結果テーブルデータベース１１２の検査結果テーブルに対して、撮像画像を撮像した日時と、この日時の撮像画像を書き込んだメモリの領域を示す原画像インデックスを書き込む。
【００４８】
ステップＳ１０２：
色空間変換部１０２は、検査結果テーブルデータベース１１２の検査結果テーブルから、原画像インデックスを読み出す。そして、色空間変換部１０２は、原画像インデックスにより撮像画像のデータをメモリから読み出し、撮像画像の各ピクセルの色空間の形式を、ＲＧＢの色空間の形式から、Ｌａｂの色空間の形式に変換する。
【００４９】
ステップＳ１０３：
歯周画像データ抽出部１０３は、撮像画像における撮影枠内における画像データ（以下、部分撮像画像）から、歯周画像データを抽出する。
このとき、歯周画像データ抽出部１０３は、部分撮像画像において歯の部分を抽出することで、歯と歯肉との境界を検出し、この境界から所定の歯肉の範囲を歯周画像データとして抽出する（詳細については、後述）。
【００５０】
ステップＳ１０４：
ピクセル選択部１０４は、例えば上記歯周画像データにおいて、選択枠により９個のピクセルを選択し、選択したピクセルの各々の歯周画像データにおける座標位置を、色データ比較部１０５に対して出力する。
【００５１】
ステップＳ１０５：
色データ比較部１０５は、ピクセル選択部１０４から供給されたピクセルの座標位置により、歯周画像データから９個の各ピクセルの参照色データを読み込む。
そして、色データ比較部１０５は、読み込んだ９個のピクセル各々の対象色データと一致するあるいは最も近い参照色データを、参照色テーブルデータベース１１０の参照色データテーブルからそれぞれ検索する。このとき、色データ比較部１０５は、ピクセルの各々の対象色データと最も近い参照色データが検索されると、それぞれの参照色データ対応付けられている歯肉炎係数をそれぞれ読み出して取得し、表示色選択部１０６に対して出力する。
【００５２】
ステップＳ１０６：
表示色選択部１０６は、色データ比較部１０５から供給される選択枠内の９個の各ピクセルの歯肉炎係数を積算することで集計し、歯肉炎係数積算値を算出する。
【００５３】
ステップＳ１０７：
表示色選択部１０６は、表示色テーブルデータベース１１１の表示色テーブルを参照し、算出した歯肉炎係数積算値が含まれる歯肉炎係数積算範囲を検索する。また、表示色選択部１０６は、検索された歯肉炎係数積算範囲に対応して記憶されている表示色のデータを選択して読み出す。
そして、表示色選択部１０６は、選択した表示色を歯肉炎の判定処理における判定結果として、選択枠の中央の座標のピクセルの色データとする。
【００５４】
ステップＳ１０８：
表示色出力部１０７は、検査結果テーブルデータベース１１２の検査結果テーブルの結果画像インデックスを参照し、端末のメモリに記憶されている歯周画像データにおける、選択枠の中央のピクセルの色データを、表示色選択部１０６が選択した表示色データに変換する。
【００５５】
ステップＳ１０９：
次に、表示色出力部１０７は、歯周画像データにおける全てのピクセルが元の色データから表示色データに変換されたか否か、すなわち歯周画像データに対する歯肉炎の判定処理が終了したか否かの判定を行う。この判定は、例えば、歯周画像データにおける各ピクセルに対して変換フラグを付与して構成しても良い。すなわち、表示色出力部１０７は、表示色に変換したピクセルの変換フラグを立て、全てのピクセルの変換フラグが立っているか否かにより、歯周画像データの全てのピクセルの色データを表示色のデータへ変換する処理が終了したことを判定するようにしても良い。
【００５６】
このとき、表示色出力部１０７は、歯周画像データにおける全てのピクセルの表示色への変換が終了した場合、処理をステップＳ１１１に進める。一方、表示色出力部１０７は、歯周画像データにおける全てのピクセルの表示色への変換が終了していない場合、処理をステップＳ１０４に進める。
【００５７】
ステップＳ１１０：
ピクセル選択部１０４は、歯周画像データのピクセルの全てが表示色に変換されていない場合、図２に示すように、選択枠ＳＷをｘ方向及びｙ方向にシフトさせ、表示色に変換されていないピクセルを選択枠の中央とし、新たな９個のピクセルを選択する。このとき、ピクセル選択部１０４が上述した変換フラグを用いて、表示色に変換されていないピクセルが選択枠の中央に位置するように、選択枠をｘ方向及びｙ方向にシフトさせて移動させても良い。
【００５８】
ステップＳ１１１：
表示色出力部１０７は、歯周画像データにおける全てのピクセルの歯肉炎係数積算値の合計値を求め、この合計値を歯周画像データの全てのピクセル数で除算することで、平均歯肉炎係数積算値を求める。
そして、表示色出力部１０７は、検査結果テーブルデータベース１１２の検査結果テーブルの口腔内歯肉炎状態情報の欄に対して、算出した平均歯肉炎係数積算値を書き込んで記憶させる。
【００５９】
検査結果出力部１０８は、検査結果テーブルデータベース１１２の検査結果テーブルを参照して、原画像インデックス、結果画像インデックス、口腔内歯肉炎状態情報を読み出す。そして、検査結果出力部１０８は、原画像インデックスにより端末のメモリから撮像画像を読み出し、読み出した撮像画像を端末の表示部に表示する。また、検査結果出力部１０８は、結果画像インデックスにより端末のメモリから歯周画像データを読み出し、読み出した歯周画像データを、端末の表示部に表示されている撮像画像の歯周画像データの領域に上書きする。検査結果出力部１０８は、読み出した口腔内歯肉炎状態情報を端末の表示部に表示する。
【００６０】
このとき、検査結果出力部１０８は、現在の撮像画像の直前の撮像画像に対応した口腔内歯肉炎状態情報を読み出し、現在表示している口腔内歯肉炎状態情報と比較し、比較結果によってコメントを表示するように構成されても良い。このコメントは、口腔内歯肉炎状態情報に対応付けて検査結果テーブルデータベース１１２に予め書き込まれて記憶されている。例えば、現在の口腔内歯肉炎状態情報が前回の口腔内歯肉炎状態情報が改善されている場合、すなわち平均歯肉炎係数積算値が現在の方が前回より下回っている場合、「ブラッシングの効果がでています。」というようなコメントを表示する。
【００６１】
一方、現在の口腔内歯肉炎状態情報が前回の口腔内歯肉炎状態情報が悪化している場合、すなわち平均歯肉炎係数積算値が現在の方が前回を超えている場合、「ブラッシングが不十分のようです。もう少しがんばりましょう。」というようなコメントを表示する。また、現在の口腔内歯肉炎状態情報が歯肉炎である可能性が高い場合、「歯ぐきが赤くなっています。歯みがきの時に歯ぐきから血が出たりしませんか？歯科医院で見てもらいましょう。」というコメントを表示する。また、現在の口腔内歯肉炎状態情報が前回の口腔内歯肉炎状態情報が変化していない場合、すなわち平均歯肉炎係数積算値が現在と前回とが同様の場合、「ブラッシングの効果がでていますが、改善のためにもう少しがんばりましょう。」というようなコメントを表示する。
【００６２】
図８は、歯肉炎検査の検査結果を示す端末の表示部に表示される表示画面を説明する図である。ここで、検査結果出力部１０８は、表示画面の表示領域６００に対して、歯肉炎の検査結果を示す、色データが表示色に変換された歯周画像データ（後述する図１０の歯周画像データ５０５）が上書き口腔内の撮像画像を、検査結果テーブルデータベース１１２の検査結果テーブルにおける結果画像インデックスにより読み出して表示する。
【００６３】
また、検査結果出力部１０８は、表示画面の表示領域６０１に対して、表示領域６００に表示される撮像画像を撮像した日、すなわち歯肉炎の検査を行った日時を表示する。また、検査結果出力部１０８は、表示画面の表示領域６０２に対して、ユーザの口腔内全体の歯肉炎の状態を示すため、検査結果テーブルデータベース１１２の検査結果テーブルから読み出した平均歯肉炎係数積算値（評価点）を表示する。
【００６４】
また、検査結果出力部１０８は、表示画面の表示領域６０３に対して、平均歯肉炎係数積算値に基づいた口腔内歯肉炎状態情報に対応するコメントを表示する。検査結果出力部１０８は、表示画面の表示領域６０４に対して、歯肉炎係数積算値に基づいて決定された、歯肉が正常な段階から歯肉炎の可能性の高い段階までの複数の段階の表示色の変化を示すグラデーションの画像を表示する。
【００６５】
例えば、このグラデーションの画像は、正常の青から、ブラッシングに注意する黄色を経て、歯肉炎の可能性が高く歯科医院に行くことを促す必要のある赤まで段階毎に変化している。また、検査結果出力部１０８は、表示画面の表示領域６０５に対して、平均歯肉炎係数積算値に対応した表示色、すなわちユーザの口腔内全体の歯肉炎の状態を示す表示色の画像を表示する。これにより、ユーザは、自身の現在の口腔内の歯肉の状態をビジュアル的に知ることができる。
【００６６】
また、検査結果出力部１０８は、表示画面の表示領域６０６に対して、検査結果テーブルデータベース１１２の検査結果テーブルから、全ての日時のデータを読み出し、過去にユーザが行った検査結果の履歴が表示される。これにより、時系列に平均歯肉炎係数積算値（評価点）の変化を見ることにより、ブラッシングの効果の有無、あるいは歯肉炎の可能性の変化を容易に確認することができる。
【００６７】
さらに、表示領域６０６において、ユーザが現在の歯肉炎の結果画像と比較したい日時を選択することにより、検査結果テーブルデータベース１１２の検査結果テーブルから、ユーザの選択した日時の結果画像インデックスを読み出し、この結果画像インデックスによりユーザの選択した日時の結果画像を読み出し、現在の結果画像と並べて表示する。これにより、ユーザが現在の歯肉炎の状態と比較したい日時における歯肉炎の状態との比較を容易に行うことが可能となる。
【００６８】
上述したように、本実施形態によれば、ユーザが端末にダウンロードした歯肉炎検査システムのアプリケーションを起動し、ユーザが自身の口腔内の撮像画像を撮像し、起動された歯肉炎検査システムに対して撮像画像を用いた歯肉炎の状態の判定処理を実行させることで、ユーザが自身の歯肉における歯肉炎の状態の判定が自身の端末において短い周期において容易に検査することができ、ブラッシングを行った結果としての歯肉の状態を短い周期で時系列に確認することが可能となり、歯肉炎の予防及び完治に対するブラッシングの必要性を認識することができる。
【００６９】
次に、上述した歯周画像データの抽出処理を図９及び図１０を用いて詳細に説明する。図９は、歯周画像データ抽出部１０３が歯周画像データを抽出する処理の動作例を示すフローチャートである。図１０は、歯周画像データの抽出処理を説明する撮影枠内の撮像画像である部分撮像画像の一例を示している。図１０において、５００が部分撮像画像における口腔内の画像データである。５０１が歯の領域であり、５０２が歯肉の領域である。５０３が歯の領域５０１と歯肉の領域５０２との境界である。５０４が境界５０３を膨張させた膨張境界５０４である。５０５が境界５０３と膨張境界５０４とに囲まれた歯周画像データである。
【００７０】
以下、図７における歯周画像データの抽出処理の動作の説明を行う。
ステップＳ２０１：
歯周画像データ抽出部１０３は、Ｌａｂの色空間の形式に変換した撮像画像から、ａチャンネルのみを抽出する。部分撮像画像における歯肉の部分の色成分は、グリーンからレッドの範囲の色成分に含まれているため、本実施形態においてはＬａｂの色空間のａチャンネルのみの情報を用いる。
そして、歯周画像データ抽出部１０３は、部分撮像画像のａチャンネルのみの画像をモノクロ画像に変換する。
【００７１】
ステップＳ２０２：
歯周画像データ抽出部１０３は、モノクロ画像を所定の閾値（例えば、２５６階調の場合であれば、１２８階調）で白と黒とに２値化し、２値化した後に反転させ、反転画像を生成する。
【００７２】
ステップＳ２０３：
歯周画像データ抽出部１０３は、生成した反転画像において、白の部分（図１０の歯肉の領域５０２）と黒の部分（図１０の歯の領域５０１）の領域との境界（図１０の境界５０３）に接した黒の部分のピクセルを検出し、このピクセルを歯の輪郭線（実質的に図１０の境界５０３となる）として抽出する。ここで、黒の部分（歯の領域１）のピクセルを境界５０３とすることにより、歯肉の領域５０２の部分のピクセルが歯周画像データから除かれることを防止している。
【００７３】
ステップＳ２０４：
歯周画像データ抽出部１０３は、抽出した境界５０３を用いて、反転画像において抽出した境界５０３の外側の領域、すなわち白の部分（歯の領域５０１を除いた反転画像の歯肉の領域５０２のみの画像データ）の画像データを抽出するためのマスク画像を生成する。
【００７４】
ステップＳ２０５：
次に、歯周画像データ抽出部１０３は、マスク画像の境界５０３を、境界５０３の重心から所定の割合で、重心から離れる方向に伸ばし（膨張させ）、膨張させた膨張境界５０４の内側（白の部分を膨張させた膨張境界５０４の内部の画像データ（後述するマスク内画像））を抽出するための膨張マスク画像を生成する。
【００７５】
ステップＳ２０６：
そして、歯周画像データ抽出部１０３は、部分撮像画像に生成した膨張マスク画像を重ね合わせ、部分撮像画像から膨張した膨張境界５０４の内側の画像データをマスク内画像として抽出する。このマスク内画像は、上述したように、部分撮像画像における歯の領域５０１と、歯と歯肉との境界５０３近傍の歯肉の領域５０２の画像データ（歯から所定の幅の歯周画像データ）とが含まれている。
【００７６】
ステップＳ２０７：
歯周画像データ抽出部１０３は、抽出したマスク内画像に対してマスク画像を重ね合わせ、マスク内画像からマスク画像の外側の領域（歯周画像データ５０５）を抽出し、この抽出したマスク外画像を歯周画像データ５０５として出力する。この歯周画像データ５０５は、図１０に示す様に、歯肉の領域５０２において、歯肉と歯との境界５０３と、歯から所定の距離が離れた歯肉の領域５０２内の線分までの幅を有する歯肉の領域である。
これにより、歯肉炎の状態を検出する必要のある歯肉の部分のみの画像データとして、部分撮像画像から歯周画像データを抽出することができ、歯肉炎の判定の処理を行う画像データの領域を特定することが可能となり、歯肉炎の判定処理の負荷を低減させ、判定処理を高速化することができる。
【００７７】
また、利用者が図示しない入力手段により、例えば端末の表示部に表示されている履歴表示のアイコンを選択した場合、検査結果出力部１０８は、検査結果テーブルデータベース１１２の検査結果テーブルから、直前の日時の結果画像インデックスを読み出し、この結果画像インデックスにより直前の日時の結果画像を読み出し、現在の結果画像と並べて表示するように構成しても良い。これにより、ユーザが現在の歯肉炎の状態と前回の判定の時点における歯肉炎の状態との比較を容易に行うことが可能となる。
【００７８】
また、端末の表示部に表示されている履歴表示のアイコンを選択した場合、検査結果出力部１０８は、検査結果テーブルデータベース１１２の検査結果テーブルから、全ての日時のデータを読み出して表示部に表示するように構成しても良い。この構成の場合、ユーザが現在の歯肉炎の結果画像と比較したい日時を選択することにより、検査結果テーブルデータベース１１２の検査結果テーブルから、ユーザの選択した日時の結果画像インデックスを読み出し、この結果画像インデックスによりユーザの選択した日時の結果画像を読み出し、現在の結果画像と並べて表示する。これにより、ユーザが現在の歯肉炎の状態と比較したい日時における歯肉炎の状態との比較を容易に行うことが可能となる。
【００７９】
また、端末の表示部に表示されている全履歴表示のアイコンを選択した場合、検査結果出力部１０８は、検査結果テーブルデータベース１１２の検査結果テーブルから、全ての日時の口腔内歯肉炎状態情報を読み出して表示部に表示するように構成しても良い。この構成の場合、検査結果テーブルデータベース１１２の検査結果テーブルから、口腔内歯肉炎状態情報である表示色を読み出し、最も過去の日時から最も新しい日時の順番に、この読み出した各日時の口腔内歯肉炎状態情報を並べて表示する。これにより、ユーザが現在の歯肉炎の状態が過去からどの程度変化しているかをビジュアル的に確認することができ、ブラッシングの効果を時系列に容易に観察することが可能となる。
【００８０】
また、図７のステップＳ１０２における「色データをＲＧＢからＬａｂに変換」する処理において、色空間変換部１０２が色データの形式をＲＧＢの色空間の形式からＬａｂの色空間の形式に変換する際、撮像画像の色データの補正を行う構成としても良い。撮像画像の色データは、同一の対象を撮像したとしても、周囲から対象に対して照射される光の影響を受けることから、歯肉炎の判定を撮像画像を用いて行う際、判定の精度を向上させる場合、異なる波長の光の下や室外における色の差を補正する必要がある。
【００８１】
例えば、口腔内の撮像画像を撮像する際、色校正用カラーパッチが印刷された校正用被写体が、口腔内とともに撮像画像に含まれるように撮像する。色空間変換部１０２は、撮像された撮像画像から上記色校正用カラーパッチの画像データ（以下、パッチ画像データ）を抽出し、パッチ画像データにおけるの色データと予め設定されている色校正用カラーパッチの色データとを比較する。そして、色空間変換部１０２は、パッチ画像データにおける色データを、予め設定されている色校正用カラーパッチの色データに変換する補正を行う色変換行列を生成する。
【００８２】
そして、色空間変換部１０２は、生成した色変換行列により、撮像画像の各ピクセルの色データの補正を行う（特開０１２−６５１９２に記載の色データの補正方法）。また、例えば、この補正は、ＲＧＢの色空間形式の色データの時点において行う。この色データの補正の後、色空間変換部１０２は、撮像画像の色データの形式をＲＧＢの色空間の形式からＬａｂの色空間の形式に変換する。これにより、異なった光の環境において撮像画像の色データが常に基準となる色校正用カラーパッチに対応するように補正される。このため、歯肉炎判定におけるマンセル色票から抽出した参照色データとの比較の際、常に同一の光の環境で撮像された撮像画像を用いて行うことが可能となり、歯肉炎の判定の精度が向上するとともに、ブラッシングによる歯肉炎の改善あるいは悪化の時系列の変化を明確に利用者に対して示すことができる。
【００８３】
また、検査結果出力部１０８は、結果画像の歯周画像データの領域で、ユーザが選択した領域近傍の複数のピクセル（例えば、５０×５０ピクセル、１００×１００のピクセル）歯肉炎係数積算値の平均値を出力し、ユーザが選択した領域における歯肉炎の状態をピンポイントで表示するように構成しても良い。これにより、上述した本実施形態においては、歯肉に対する歯肉炎の判定結果として、結果画像の他に平均歯肉炎係数積算値による表示色が歯肉炎の状態の指標として表示されるが、結果画像における歯肉炎の可能性があると判定された歯肉の部分の歯肉炎係数の変化もユーザが行うことが可能となり、気になる箇所のブラッシングによる改善の度合いも確認することができる。
【００８４】
図１１は、本実施形態における歯肉炎検査システムのシステム構成の例を示す図である。上述した実施形態においては、アプリケーションのプログラムを、歯肉炎検査サーバ３０１からインターネットを含む情報通信網３００を介してダウンロードし、端末３０２あるいは携帯端末３０３にインストールすることにより、歯肉炎検査システムのアプリケーションを端末のメモリ上に展開して歯肉炎検査の機能を実現する構成例を示している。携帯端末３０３の場合、無線通信にてデータの送受信を行う際、ワイヤレスアクセスポイント３０４を介して情報通信網３００に接続される構成となる。
【００８５】
また、多くの記憶領域を必要とするため、検査結果テーブルデータベース１１２、撮像画像及び結果画像を、端末３０２や携帯端末３０３ではなく、歯肉炎検査サーバ３０１に、ユーザの識別情報に対応して記憶するようにしても良い。この構成においては、ユーザが歯肉炎検査システムのアプリケーションにより、過去の履歴を参照する場合、検査結果出力部１０８が歯肉炎検査サーバ３０１にアクセスし、ユーザの識別情報に対応した検査結果テーブルデータベース１１２を参照する。
【００８６】
また、本実施形態においては、端末３０２及び携帯端末３０３でアプリケーションをダウンロードし、歯肉炎検査システムを端末３０２及び携帯端末３０３のメモリ上に展開して、歯肉炎検査の処理を行ったが、ダウンロードするのは歯肉炎検査システムとのやり取りを行うインターフェース機能のみとし、図１における歯肉炎検査システムの各部を歯肉炎検査サーバ３０１に設けても良い。この場合、ユーザがアプリケーションを起動すると、端末３０２及び携帯端末３０３にインストールされたインターフェースが、歯肉炎検査サーバ３０１にアクセスし、ユーザにより撮像された撮像画像を送信する。そして、歯肉炎検査サーバ内３０１の歯肉炎検査システムが歯肉炎検査を行い、結果画像を端末３０２及び携帯端末３０３に対して返信する。結果画像が返信されると、端末３０２及び携帯端末３０３が自身の表示画面に返信された結果画像を表示する。
【００８７】
また、図１における歯肉炎検査システム１における各々の機能を実現するためのプログラムをコンピュータ読み取り可能な記録媒体に記録して、この記録媒体に記録されたプログラムをコンピュータシステムに読み込ませ、実行することにより歯肉炎の検査（歯肉炎の可能性があるか否かの判定）の処理を行ってもよい。なお、ここでいう「コンピュータシステム」とは、ＯＳや周辺機器等のハードウェアを含むものとする。
【００８８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８９】
以上、この発明の実施形態を図面を参照して詳述してきたが、具体的な構成はこの実施形態に限られるものではなく、この発明の要旨を逸脱しない範囲の設計等も含まれる。
【符号の説明】
【００９０】
１…歯肉炎検査システム
１０１…撮像画像入力部
１０２…色空間変換部
１０３…歯周画像データ抽出部
１０４…ピクセル選択部
１０５…色データ比較部
１０６…表示色選択部
１０７…表示色出力部
１０８…検査結果出力部
１０９…撮影枠表示部
１１０…参照色テーブルデータベース
１１１…表示色テーブルデータベース
１１２…検査結果テーブルデータベース
３００…情報通信網
３０１…歯肉炎検査サーバ
３０２…端末
３０３…携帯端末
３０４…ワイヤレスアクセスポイント
【図１】
2019030587.tif 000003
【図２】
2019030587.tif 000004
【図３】
2019030587.tif 000005
【図４】
2019030587.tif 000006
【図５】
2019030587.tif 000007
【図６】
2019030587.tif 000008
【図７】
2019030587.tif 000009
【図８】
2019030587.tif 000010
【図９】
2019030587.tif 000011
【図１０】
2019030587.tif 000012
【図１１】
2019030587.tif 000013